(57)【特許請求の範囲】
【請求項１】
内筒と外筒とを有する中空環状の板金製のバーナボディと、バーナボディ上に載置される環状のバーナキャップとを備え、バーナキャップの内周縁部に、バーナボディの内筒に内挿される筒部が垂設され、バーナキャップの下面外周部に、バーナボディの外筒の上端部に着座する筒壁部が垂設されて、筒壁部に、周方向の間隔を存して複数の炎孔が形成されたコンロ用バーナにおいて、
バーナキャップの筒部に、周方向１箇所に位置させて、筒部の下端から上方にのびる切欠きが形成され、バーナボディの内筒内に、切欠きに挿入可能でバーナボディとは別体の位置決め部材が配置され、バーナキャップが正規位相で載置されるときは、切欠きに位置決め部材が挿入されて、バーナキャップの筒壁部がバーナボディの外筒の上端部に着座するが、バーナキャップが正規位相からずれた位相で載置されるときは、筒部の下端の切欠きが形成されていない部分が位置決め部材に乗り上げて、筒壁部が外筒の上端部から浮き上がるようにし、
更に、バーナボディの外筒の周方向１箇所に、径方向外方に窪む窪み部が外筒の上端部に達するように形成されると共に、バーナキャップの下面の周方向１箇所に、バーナキャップが正規位相で載置されるときに窪み部に嵌合するピン部が垂設され、筒部の切欠きに位置決め部材が挿入された状態で、切欠きに対する位置決め部材の挿入クリアランス分だけ筒部が周方向に動いたときの炎孔の周方向変位よりも、窪み部へのピン部の嵌合で、炎孔の周方向変位が小さく抑えられることを特徴とするコンロ用バーナ。
【請求項２】
請求項１記載のコンロ用バーナであって、前記バーナボディの前記内筒に挿通される支持パイプと、支持パイプの上端部に支持される、前記バーナキャップよりも上方に突出する感熱ヘッドとを有する鍋底温度センサを備えるものにおいて、
支持パイプを固定する固定具に前記位置決め部材が一体に形成されることを特徴とするコンロ用バーナ。
【発明の詳細な説明】
【技術分野】
【０００１】
本発明は、内筒と外筒とを有する中空環状の板金製のバーナボディと、バーナボディ上に載置される環状のバーナキャップとを備えるコンロ用バーナに関する。
【背景技術】
【０００２】
従来、この種のコンロ用バーナでは、バーナキャップの内周縁部に、バーナボディの内筒に内挿される筒部が垂設され、バーナキャップの下面外周部に、バーナボディの外筒の上端部に着座する筒壁部が垂設されて、筒壁部に、周方向の間隔を存して複数の炎孔が形成されている。
【０００３】
また、従来、バーナボディを鋳物製とするコンロ用バーナにおいて、バーナキャップの筒部に、周方向１箇所に位置させて、筒部の下端から上方にのびる切欠きを形成すると共に、バーナボディの内筒の内周面に、周方向１箇所に位置させて、切欠きに挿入可能な径方向内方に突出する突起部を形成し、バーナキャップが正規位相で載置されるときは、切欠きに突起部が挿入されて、バーナキャップの筒壁部がバーナボディの外筒の上端部に着座するが、バーナキャップが正規位相からずれた位相で載置されるときは、筒部の下端の切欠きが形成されていない部分が突起部に乗り上げて、筒壁部が外筒の上端部から浮き上がり、誤セット状態であることを気づきやすくしたものが知られている（例えば、特許文献１参照）。
【０００４】
ところで、コストダウンを図るには、バーナボディを鋳物製ではなく板金製とすることが望まれる。然し、板金製のバーナボディでは、内筒の内周面に突起部を形成できず、上記の構造を採用できない。
【０００５】
そこで、従来、バーナボディを板金製とするコンロ用バーナとして、バーナボディの外筒の周方向１箇所に、径方向外方に窪む窪み部を外筒の上端部に達するように形成すると共に、バーナキャップの下面の周方向１箇所に、バーナキャップが正規位相で載置されるときに窪み部に嵌合するピン部を垂設し、バーナキャップが正規位相からずれた位相で載置されるときは、ピン部の下端が外筒の上端部に乗り上げて、筒壁部が外筒の上端部から浮き上がるようにしたものが知られている（例えば、特許文献２参照）。
【０００６】
然し、このものでは、加工上の理由から窪み部の上下方向長さが制限されるため、ピン部の上下方向長さも制限されることになる。そのため、バーナキャップが正規位相からずれた位相で載置されたときに、筒壁部が外筒の上端部から然程浮き上がらず、使用者が誤セット状態であることに気づきにくくなってしまう。
【先行技術文献】
【特許文献】
【０００７】
【特許文献１】特開２００３−２１４６０６号公報
【特許文献２】特開２００９−１２１７６７号公報
【発明の概要】
【発明が解決しようとする課題】
【０００８】
本発明は、以上の点に鑑み、バーナボディを板金製としたコンロ用バーナであって、バーナキャップが誤セット状態であることを気づきやすくしたものを提供することをその課題としている。
【課題を解決するための手段】
【０００９】
上記課題を解決するために、本発明は、内筒と外筒とを有する中空環状の板金製のバーナボディと、バーナボディ上に載置される環状のバーナキャップとを備え、バーナキャップの内周縁部に、バーナボディの内筒に内挿される筒部が垂設され、バーナキャップの下面外周部に、バーナボディの外筒の上端部に着座する筒壁部が垂設されて、筒壁部に、周方向の間隔を存して複数の炎孔が形成されたコンロ用バーナにおいて、バーナキャップの筒部に、周方向１箇所に位置させて、筒部の下端から上方にのびる切欠きが形成され、バーナボディの内筒内に、切欠きに挿入可能でバーナボディとは別体の位置決め部材が配置され、バーナキャップが正規位相で載置されるときは、切欠きに位置決め部材が挿入されて、バーナキャップの筒壁部がバーナボディの外筒の上端部に着座するが、バーナキャップが正規位相からずれた位相で載置されるときは、筒部の下端の切欠きが形成されていない部分が位置決め部材に乗り上げて、筒壁部が外筒の上端部から浮き上がるようにし、更に、バーナボディの外筒の周方向１箇所に、径方向外方に窪む窪み部が外筒の上端部に達するように形成されると共に、バーナキャップの下面の周方向１箇所に、バーナキャップが正規位相で載置されるときに窪み部に嵌合するピン部が垂設され、筒部の切欠きに位置決め部材が挿入された状態で、切欠きに対する位置決め部材の挿入クリアランス分だけ筒部が周方向に動いたときの炎孔の周方向変位よりも、窪み部へのピン部の嵌合で、炎孔の周方向変位が小さく抑えられることを特徴とする。
【００１０】
本発明によれば、バーナボディの内筒内に配置した位置決め部材が、上記従来例の鋳物製バーナボディの内筒内周面に形成する突起部と同様の機能を発揮することになり、バーナボディを板金製とするにも拘らず、バーナキャップが誤セット状態であるときに、バーナキャップの筒部を利用して、バーナキャップの筒壁部をバーナボディの外筒の上端部から浮き上がらせることができる。そして、バーナキャップの筒部は、加工上の制約を受けることなく十分に長く形成することができるため、誤セット状態での筒壁部の外筒上端部からの浮き上がり量を大きくして、誤セット状態であることを気づきやすくすることができる。
【００１１】
また、コンロ用バーナが、バーナボディの内筒に挿通される支持パイプと、支持パイプの上端部に支持される、バーナキャップよりも上方に突出する感熱ヘッドとを有する鍋底温度センサを備えるものである場合は、支持パイプを固定する固定具に上記位置決め部材を一体に形成することが望ましい。これによれば、位置決め部材を設けることで、部品点数が増加してコストアップすることを回避できる。
【００１２】
ところで、バーナキャップの筒部の切欠きに位置決め部材が挿入された状態で、切欠きに対する位置決め部材の挿入クリアランス分だけ筒部が周方向に動き得る。そして、筒部はバーナキャップの内周側に設けられているため、筒部が上記挿入クリアランス分だけ周方向に動くと、バーナキャップの外周側の周壁部に形成した炎孔は周方向に上記挿入クリアランスより大きく変位してしまう。
【００１３】
これに対し、本発明によれば、窪み部へのピン部の嵌合で、バーナキャップが外周側でバーナボディに対し回り止めされることになり、バーナキャップの周壁部に形成した炎孔の周方向変位を小さく抑えることができる。
【図面の簡単な説明】
【００１４】
【図１】本発明の実施形態のコンロ用バーナの斜視図。
【図２】図１のＩＩ−ＩＩ線で切断した切断側面図。
【図３】図２のＩＩＩ−ＩＩＩ線で切断した断面図。
【図４】実施形態のコンロ用バーナの分解状態の斜視図。
【発明を実施するための形態】
【００１５】
図１乃至図３を参照して、本発明の実施形態のコンロ用バーナは、バーナボディ１とバーナキャップ２とを備えている。バーナボディ１は、これに一体の混合管３の先端部から立ち上がる内筒１１と外筒１２とを有する中空環状の板金製であり、コンロ本体（図示せず）内に固定の台枠４に載置固定されている。外筒１２の上端には、径方向外方に屈曲するフランジ部１３と、フランジ部１３の外周から下方にのびるスカート部１４とが形成されている。
【００１６】
バーナキャップ２は、バーナボディ１上に載置されるもので、環状に形成されている。バーナキャップ２の内周縁部には、バーナボディ１の内筒１１に内挿される筒部２１が垂設されている。また、バーナキャップ２の下面外周部には、バーナボディ１の外筒１２の上端部、即ち、フランジ部１３に着座する筒壁部２２が垂設されている。そして、筒壁部２２に、周方向の間隔を存して溝から成る複数の炎孔２３を形成し、混合管３からバーナボディ１内に供給される混合気（燃料ガスと一次空気との混合ガス）がこれら炎孔２３から噴出して燃焼するようにしている。尚、炎孔２３には、一般炎孔２３ａとこれより小さな小炎孔２３ｂとがあり、コンロの天板上に載置する五徳の各五徳爪と同一方位に位置する炎孔は小炎孔２３ｂとして、火炎が五徳爪に触れることを防止している。
【００１７】
また、筒壁部２２の周囲１箇所には、点火炎孔２３ｃが形成されると共に、点火炎孔２３ｃの上方位置から径方向外方に張り出す庇部２４が形成されている。そして、庇部２４で覆われる位置に、台枠４上に取付ブラケット５１を介して固定される点火電極５を配置している。また、筒壁部２２には火炎検知用炎孔が形成されており、この炎孔に臨む位置に、台枠４上に取付ブラケット６１を介して固定される熱電対から成る火炎検知素子６を配置している。
【００１８】
コンロ用バーナは、更に、五徳に載せた調理容器の底面に当接してその温度を検出する鍋底温度センサ７を備えている。鍋底温度センサ７は、バーナボディ１の内筒１１に挿通される支持パイプ７１と、支持パイプ７１の上端部に支持される、バーナキャップ２よりも上方に突出する感熱ヘッド７２とを有している。感熱ヘッド７２は、上端部にサーミスタ等の感熱素子７２ａを内蔵している。そして、支持パイプ７１に対し感熱ヘッド７２をバネ７３で上方に付勢し、五徳に調理容器を載せたときに、感熱ヘッド７２がバネ７３の付勢力に抗して押し下げられて調理容器の底面に密着するようにしている。
【００１９】
尚、支持パイプ７１は、台枠４上に設けた固定具７４で固定されている。固定具７４は、台枠４に固定される固定板７４ａと、固定板７４ａとの間に支持パイプ７１を挟み込んで固定する押え板７４ｂとで構成されている。
【００２０】
ところで、バーナキャップ２は、小炎孔２３ｂが五徳爪と同一方位に位置し、点火炎孔２３ｃと火炎検知用炎孔が夫々点火電極５と火炎検知素子６に対向する正規位相でバーナボディ１上に載置する必要がある。そして、バーナキャップ２が正規位相からずれた位相で載置されたときは、誤セット状態であることを使用者が気づきやすくすべきである。
【００２１】
そこで、本実施形態では、図４にも示されているように、バーナキャップ２の筒部２１に、周方向１箇所に位置させて、筒部２１の下端から上方にのびる切欠き２５を形成し、更に、バーナボディ１の内筒１１内に、切欠き２５に挿入可能でバーナボディ１とは別体の位置決め部材８を配置している。尚、本実施形態では、鍋底温度センサ７の支持パイプ７１用の固定具７４の上部片側に、バーナボディ１の内筒１１に接近する側方への張出し部を形成し、この張出し部で位置決め部材８を構成している。即ち、固定具７４に位置決め部材８を一体に形成している。
【００２２】
そして、バーナキャップ２が正規位相で載置されるときは、切欠き２５に位置決め部材８が挿入されて、バーナキャップ２の筒壁部２２がバーナボディ１のフランジ部１３（外筒１２の上端部）に着座するが、バーナキャップ２が正規位相からずれた位相で載置されるときは、筒部２１の下端の切欠き２５が形成されていない部分が位置決め部材８に乗り上げて、筒壁部２２がフランジ部１３から浮き上がるようにしている。
【００２３】
ここで、バーナキャップ２の筒部２１は、加工上の制約を受けることなく十分に長く形成することができる。そのため、誤セット状態での筒壁部２２のフランジ部１３からの浮き上がり量を大きくして、誤セット状態であることを気づきやすくすることができる。また、バーナボディ１とは別体の位置決め部材８を設けても、固定具７４に位置決め部材８を一体に形成するため、部品点数が増加してコストアップすることはない。
【００２４】
ところで、バーナキャップ２の筒部２１の切欠き２５に位置決め部材８が挿入された状態でも、切欠き２５に対する位置決め部材８の挿入クリアランス（切欠き２５の幅と位置決め部材８の厚さとの差）分だけ筒部２１が周方向に動き得る。そして、筒部２１はバーナキャップ２の内周側に設けられているため、筒部２１が上記挿入クリアランス分だけ周方向に動くと、バーナキャップ２の外周側の周壁部２２に形成した炎孔２３は周方向に上記挿入クリアランスより大きく変位し、点火炎孔２３ｃや火炎検知用炎孔が点火電極５や火炎検知素子６に正対しなくなってしまう。
【００２５】
そこで、本実施形態では、バーナボディ１の外筒１２の周方向１箇所に、径方向外方に窪む窪み部１５をフランジ部１３（外筒１２の上端部）に達するように形成すると共に、バーナキャップ２の下面の周方向１箇所に、バーナキャップ２が正規位相で載置されるときに窪み部１５に嵌合するピン部２６を垂設している。これによれば、窪み部１５へのピン部２６の嵌合で、バーナキャップ２が外周側でバーナボディ１に対し回り止めされることになり、バーナキャップ２の周壁部２２に形成した炎孔２３の周方向変位を小さく抑え、点火炎孔２３ｃや火炎検知用炎孔が点火電極５や火炎検知素子６に正対しなくなってしまうことを防止できる。
【００２６】
以上、本発明の実施形態について図面を参照して説明したが、本発明はこれに限定されるものではなく、本発明の趣旨を逸脱しない範囲で種々変形して実施することができる。
【符号の説明】
【００２７】
１…バーナボディ、１１…内筒、１２…外筒、１３…フランジ部（外筒の上端部）、１５…窪み部、２…バーナキャップ、２１…筒部、２２…筒壁部、２３…炎孔、２５…切欠き、２６…ピン部、７…鍋底温度センサ、７１…支持パイプ、７２…感熱ヘッド、７４…固定具、８…位置決め部材。
【図１】
0006392575.tif 000002
【図２】
0006392575.tif 000003
【図３】
0006392575.tif 000004
【図４】
0006392575.tif 000005